(57)【要約】【課題】一取引における一連の印字物の発行にあたって、複数種類の切断処理から使い分けて各印字物の間を切断可能とすることである。【解決手段】販売データ処理装置は、商取引に関する所定の情報を帯状のシートに印字し、前記シートを切断して排出するプリンタが内蔵または接続されたものであって、一取引にかかる前記情報の前記シートへの印字および当該シートの切断にあたって、前記プリンタを制御し、前記シートへの印字内容に応じて、前記シートをフルカットする第１の切断処理または前記シートをパーシャルカットする第２の切断処理を行わせる切断制御部を備える。【選択図】図６
2019204454.tif 000002
【特許請求の範囲】
【請求項１】
商取引に関する所定の情報を帯状のシートに印字し、前記シートを切断して排出するプリンタが内蔵または接続された販売データ処理装置であって、
一取引にかかる前記情報の前記シートへの印字および当該シートの切断にあたって、前記プリンタを制御し、前記シートへの印字内容に応じて、前記シートをフルカットする第１の切断処理または前記シートをパーシャルカットする第２の切断処理を行わせる切断制御部、
を備える販売データ処理装置。
【請求項２】
前記切断制御部は、前記印字内容の種類が変わる境界で前記第１の切断処理を行い、同じ種類の前記印字内容が続く場合の境界で前記第２の切断処理を行う
請求項１に記載の販売データ処理装置。
【請求項３】
前記切断制御部は、前後する前記印字内容の種類の組み合わせと前記切断処理の種類とを予め関連付けたカットパターン設定に従って、前記プリンタに、前記第１または第２の切断処理を行わせる
請求項１に記載の販売データ処理装置。
【請求項４】
前記カットパターン設定は、複数種類から選択可能に提供され、
顧客を識別可能な会員データにおいて前記カットパターン設定のいずれかが選択されていて、
前記切断制御部は、前記会員データが特定されている場合、当該会員データにおいて選択された前記カットパターン設定に従って、前記プリンタに、前記第１または第２の切断処理を行わせる
請求項３に記載の販売データ処理装置。
【請求項５】
前記カットパターン設定は、書き換え可能である
請求項３または４に記載の販売データ処理装置。
【請求項６】
商取引に関する所定の情報を帯状のシートに印字し、前記シートを切断して排出するプリンタが内蔵または接続された販売データ処理装置のコンピュータを、
一取引にかかる前記情報の前記シートへの印字および当該シートの切断にあたって、前記プリンタを制御し、前記シートへの印字内容に応じて、前記シートをフルカットする第１の切断処理または前記シートをパーシャルカットする第２の切断処理を行わせる切断制御部、
として機能させるためのプログラム。
【発明の詳細な説明】
【技術分野】
【０００１】
本発明の実施形態は、販売データ処理装置およびプログラムに関する。
【背景技術】
【０００２】
従来、例えばＰＯＳ端末装置などの販売データ処理装置が用いられている（例えば特許文献１）。ＰＯＳ端末装置は、買上明細を印字したレシートや割引券、保証書などを発行する。このような印字発行を、ＰＯＳ端末装置は、内蔵もしくは外部接続されたプリンタで行う。
【０００３】
ＰＯＳ端末装置は、従来、レシートの発行に続けて、割引券や保証書なども発行する。また、従来のプリンタは、レシートなどの発行に際して、全幅に渡り完全に切断するフルカットである第１の切断処理か、全幅のうち部分的に切り残すパーシャルカットである第２の切断処理のどちらかを行う。
【０００４】
このため、プリンタが第１の切断処理を行う設定になっていれば、レシートの他に何枚もの割引券や保証書などが一取引において発行されるのであっても、印字物（レシートや割引券、保証書など）ごとに完全に切断しての発行が続く。この場合、オペレータは、全印字物の発行が終了するまで、プリンタの発行口から排出される印字物を注視し続けなければならない。また、プリンタが、第２の切断処理を行う設定になっていれば、全ての印字物が部分的につながった状態で発行されることとなる。
【発明の概要】
【発明が解決しようとする課題】
【０００５】
本発明が解決しようとする課題は、一取引における一連の印字物の発行にあたって、複数種類の切断処理から使い分けて各印字物の間を切断可能とすることである。
【課題を解決するための手段】
【０００６】
実施形態の販売データ処理装置は、商取引に関する所定の情報を帯状のシートに印字し、前記シートを切断して排出するプリンタが内蔵または接続されたものであって、一取引にかかる前記情報の前記シートへの印字および当該シートの切断にあたって、前記プリンタを制御し、前記シートへの印字内容に応じて、前記シートをフルカットする第１の切断処理または前記シートをパーシャルカットする第２の切断処理を行わせる切断制御部を備える。
【図面の簡単な説明】
【０００７】
【図１】図１は、第１実施形態の販売データ処理装置の一例であるＰＯＳ端末装置の外観を示す斜視図である。
【図２】図２は、ＰＯＳ端末装置のハードウェア構成を示すブロック図である。
【図３】図３は、ＰＯＳ端末装置の機能構成を示すブロック図である。
【図４】図４は、ＰＯＳ端末装置が備えるプリンタのカッターの切れ刃の形状を示す図である。
【図５】図５は、印字から切断までの制御の流れを示すフローチャートである。
【図６】図６は、一取引にかかる一連の印字物の例を示す図である。
【図７−１】図７−１は、第２実施形態の印字物種別の名称とそのＩＤとを関連付けた印字物種別テーブルの図である。
【図７−２】図７−２は、カット区分の名称とそのＩＤとを関連付けたカット区分テーブルの図である。
【図７−３】図７−３は、現在の印字物の種別と次の印字物の種別との組み合わせにカット区分を関連付けたカットパターン設定テーブルの図である。
【図７−４】図７−４は、印字データの構造の一例を示し、印字データが含む複数の印字物の種別ＩＤの印字順（Ｎｏ．）を示す図である。
【図８】図８は、印字から切断までの制御の流れを示すフローチャートである。
【図９】図９は、一取引にかかる一連の印字物を示す図である。
【図１０−１】図１０−１は、第３実施形態における顧客の氏名とＩＤにカットパターン設定の種類を関連付けた顧客テーブルの図である。
【図１０−２】図１０−２は、現在の印字物の種別と次の印字物の種別との組み合わせに、複数のカット区分を関連付けたカットパターン設定テーブルの図である。
【発明を実施するための形態】
【０００８】
（第１実施形態）
実施形態について図面を用いて説明する。図１は、販売データ処理装置の一例であるＰＯＳ端末装置１の外観を示す斜視図である。ＰＯＳ端末装置１は、例えばスーパーマーケット等の店舗に設置されて、顧客が購入した商品情報の登録および決済処理を行う。
【０００９】
（ＰＯＳ端末装置の構造の説明）
ＰＯＳ端末装置１は、ドロワ２の上に載置されて用いられる。ドロワ２は、現金等を収納する引出し３を備えている。ＰＯＳ端末装置１は、引出し３の開閉動作を制御する。
【００１０】
ＰＯＳ端末装置１は、キーボード４と、オペレータ用表示操作部５と、プリンタ６と、客用表示デバイス７と、カード読取溝８と、バーコードリーダ１０とを備えている。
【００１１】
ユーザインタフェースであるキーボード４およびオペレータ用表示操作部５は、ＰＯＳ端末装置１の本体１１の上面に設けられ、キーボード４が手前側、オペレータ用表示操作部５が奥側に配置されている。
【００１２】
キーボード４は、入力装置の一部であり、置数キー、クリアキー、戻りキー、小計キー、確定キーなどの複数のハードウェアキーを備えている。置数キーは、商品コードや金額等の数値を入力するためのテンキーである。クリアキーは、エラー発生時などに操作を取り消すためのキーである。戻りキーは、現在の操作をキャンセルして直前の画面に戻すためのキーである。小計キーは、売上登録を完了して売上合計金額の算出を宣言するためのキーである。確定キーは、入力された操作を確定する場合に押下するキーである。
【００１３】
オペレータ用表示操作部５は、例えばＬＣＤ（Liquid  Crystal  Display）などの表示デバイス５ａと、当該表示デバイス５ａの表面に重ねて設けられたタッチパネル５ｂとを備えている。表示デバイス５ａは、表示装置の一部であり、オペレータ（キャッシャ、店員）に対して各種情報を表示する。タッチパネル５ｂは、入力装置の一部であり、表示デバイス５ａに表示された情報に応じたオペレータの操作を受け付ける。
【００１４】
プリンタ６は印字装置の一例であり、ＰＯＳ端末装置１の本体１１の上面左側に配置されている。プリンタ６と本体１１との接続は、有線／無線を問わない。また、プリンタ６は、本体１１に内蔵されていてもよい。プリンタ６は、顧客に手渡す買上明細を印字したレシートなどを、発行口６ａから発行する。プリンタ６は、レシートなどとなるロール紙６ｂを、内部に収納している。また、プリンタ６は、ロール紙６ｂから引き出した帯状の用紙（シートの一例）を発行口６ａから送り出す方向に搬送するローラや、当該ローラを回転駆動させるパルスモータなどを備えている。プリンタ６は、例えばサーマルヘッドによってロール紙６ｂに買上明細を印字する。なお、レシートに印字するデータは、後述するＣＰＵ１０１（図２参照）が作成し、プリンタ６に送信する。
【００１５】
客用表示デバイス７は、ＬＣＤなどの表示デバイスで構成されており、ＰＯＳ端末装置１の本体１１の上面奥側に設けられている。客用表示デバイス７は、表示面を客に向けて配置され、登録した商品の金額や、合計金額などを表示する。
【００１６】
カード読取溝８は、ＰＯＳ端末装置１の本体１１の上面右端に配置されている。ＰＯＳ端末装置１は、カード読取溝８に対応する位置に、カードリーダ９を内蔵している。カードリーダ９は、顧客が、購入した商品の決済処理を、プリペイドカードやクレジットカード等の磁気カードで行う際に、カード読取溝８に差し込まれてスライドされた磁気カードの情報を読み取る。
【００１７】
さらに、ＰＯＳ端末装置１の本体１１には、バーコードリーダ１０が接続されている。バーコードリーダ１０は、商品に貼付されたバーコードから、当該バーコードが保持するコードデータを読み取る。当該コードデータの読み取りに際し、バーコードリーダ１０は、コードデータの受光信号をデコード（復号）して、バーコードが表現しているコードデータ（商品を特定する商品コード）を取得し、ＰＯＳ端末装置１のＣＰＵ１０１（図２参照）に出力する。
【００１８】
（ＰＯＳ端末装置のハードウェア構成の説明）
次に、図２を用いて、ＰＯＳ端末装置１のハードウェア構成について説明する。図２は、ＰＯＳ端末装置１のハードウェア構成を示すハードウェアブロック図である。図２に示すように、ＰＯＳ端末装置１は、ＣＰＵ（Central  Processing  Unit）１０１が制御主体となってプログラムＰ１を実行する、一般的なコンピュータシステムの構成を有する。ＣＰＵ１０１は、バスラインＢＬ１を介して、ＲＯＭ（Read  Only  Memory）１０２、ＲＡＭ（Random  Access  Memory）１０３、ＨＤＤ（Hard  Disk  Drive）１０４とそれぞれ接続する。
【００１９】
ＲＡＭ１０３は主記憶装置であり、ＣＰＵ１０１が演算処理を行う際に、プログラムや演算結果の一時記憶部として機能する。
【００２０】
ＲＯＭ１０２は補助記憶装置である。ＲＯＭ１０２は、ＣＰＵ１０１が行う演算処理に必要な各種データを記憶する。さらに、ＲＯＭ１０２は、ＰＯＳ端末装置１の起動プログラム等のプログラムを記憶する。
【００２１】
ＨＤＤ１０４は補助記憶装置である。ＨＤＤ１０４は、ＣＰＵ１０１が実行するプログラムＰ１、およびＣＰＵ１０１が行う演算処理に用いる、商品情報を登録した商品マスタＭ１を記憶する。
【００２２】
プログラムＰ１は、インストール可能な形式または実行可能な形式のファイルで、ＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されて提供される。或いは、インターネット等のネットワークに接続されたコンピュータに格納したプログラムＰ１を、ネットワーク経由で、後述する通信Ｉ／Ｆ（Interface）１２を介してＰＯＳ端末装置１にダウンロードしてもよい。また、ＰＯＳ端末装置１で実行されるプログラムＰ１をインターネット等のネットワーク経由で提供または配布するように構成してもよい。
【００２３】
商品マスタＭ１は、各商品のＪＡＮコード（商品コード）と、その商品の「商品名」や「商品単価」等の商品情報と、を対応付けて記憶したテーブルである。
【００２４】
ＣＰＵ１０１には、バスラインＢＬ１を経由して、前述したドロワ２、キーボード４、オペレータ用表示操作部５（表示デバイス５ａ、タッチパネル５ｂ）、プリンタ６、客用表示デバイス７、カードリーダ９、バーコードリーダ１０が、いずれも各種の入出力回路（いずれも不図示）を介して接続される。そして、これらの入出力機器は、ＣＰＵ１０１によって動作制御される。
【００２５】
さらに、ＰＯＳ端末装置１は、ＬＡＮ（Local  Area  Network）等のネットワークに接続するための通信Ｉ／Ｆ１２を備える。通信Ｉ／Ｆ１２は、ＰＯＳ端末装置１を、店舗内の複数のＰＯＳ端末装置１を管理する店舗サーバ（不図示）や、他のコンピュータ、接続機器と接続して、各種情報のやり取りを行う。
【００２６】
（ＰＯＳ端末装置の機能構成の説明）
次に、図３を用いて、ＰＯＳ端末装置１の機能構成について説明する。図３は、ＰＯＳ端末装置１の機能構成を示すブロック図である。ＰＯＳ端末装置１にあっては、ＣＰＵ１０１（図２）が、プログラムＰ１に従って動作することで、制御部１１０が実現される。制御部１１０は、販売データ登録部１１１と、決済処理部１１２と、印字データ生成部１１３と、印字制御部１１４と、切断制御部１１５とを含んでいる。
【００２７】
販売データ登録部１１１は、顧客が購入した商品情報を登録する売上登録処理を行う。決済処理部１１２は、支払手続きを実行する決済処理を行う。売上登録処理および決済処理は周知であるので説明を省略する。
【００２８】
印字データ生成部１１３は、販売データ登録部１１１により登録された商品情報に基づいて、買上明細などを印字するための印字用データを生成する。印字用データは、一取引にかかるデータであって、商取引に関する所定の情報などを含む。商取引に関する所定の情報を印字したものとしては、例えば、買上明細や、販売を促進するための広告情報などを印字した販促券、割引の対象や条件などを示す割引券、値引きの対象や条件などを示す値引券、保証の対象や条件などを示す保証書、領収金額を証明する領収書などがある。
【００２９】
印字制御部１１４は、プリンタ６を制御し、印字データ生成部１１３が生成した印字用データを印字させる。
【００３０】
切断制御部１１５は、一取引にかかる商取引に関する所定の情報が印字された用紙の切断にあたって、プリンタ６を制御し、用紙への印字内容に応じて、用紙を全幅に渡って完全に切断する第１の切断処理、または、用紙を全幅のうち部分的に切断して切り残す第２の切断処理を、行わせる。また、本実施形態の切断制御部１１５は、印字内容の種類が変わる境界で第１の切断処理を行い、同じ種類の前記印字内容が続く場合の境界で第２の切断処理を行う。
【００３１】
第１の切断処理は、ロール紙６ｂを全幅に渡って完全に切断する「フルカット」である。また、第２の切断処理は、ロール紙６ｂを全幅のうち部分的に切断して一部を切り残す「パーシャルカット」（もしくは「スタブカット」と呼ばれる）である。パーシャルカットには、切り残しが１か所である「１点残し」と、破線状に切断するいわゆるミシン目を入れる「複数点残し」とがある。
【００３２】
切断制御部１１５は、印字制御部１１４が印字した買上明細やその他の情報などの区切りごとに、当該印字した印字用データの内容に応じて、フルカットもしくはパーシャルカットを行う。そして、切断制御部１１５により切断された用紙は、発行口６ａからレシートなどとして発行される。
【００３３】
図４は、ＰＯＳ端末装置１が備えるプリンタ６のカッター６０の切れ刃６１の形状を示す図である。プリンタ６は、ロール紙を切断するカッター６０を備えている。切れ刃６１は、例えば山６１１と谷６１２が繰り返された形状である。また、切れ刃６１は、中央部に凹部６１３を有し、凹部６１３の底に、一つの山６１４を有している。
【００３４】
カッター６０は、切れ刃６１をロール紙６ｂの切断位置に押し当てて、ロール紙を切断する。切断制御部１１５は、ロール紙６ｂに対する切れ刃６１の押し当て量（移動量）によって、切断処理の種類を、変える。
【００３５】
本実施形態のプリンタ６は、フルカットと、１点残しおよび複数点残しのパーシャルカットとを、実行可能である。フルカットの場合、切断制御部１１５は、ロール紙６ｂが二点鎖線Ａの位置に至るまで、矢印Ｐ方向に切れ刃６１を移動させる。１点残しの場合、切断制御部１１５は、ロール紙６ｂが二点鎖線Ｂの位置に至るまで、矢印Ｐ方向に切れ刃６１を移動させる。複数点残しの場合、切断制御部１１５は、ロール紙６ｂが二点鎖線Ｃの位置に至るまで、矢印Ｐ方向に切れ刃６１を移動させる。
【００３６】
図５は、印字から切断までの制御の流れを示すフローチャートである。制御部１１０は、印字データ生成部１１３として印字データを生成すると（ステップＳ１）、印字制御部１１４として印字データを印字する（ステップＳ２）。
【００３７】
ここで、図６は、一取引にかかる一連の印字物（プリントアウト）の例を示す図である。このようなプリントアウトとなる印字データは、店名ロゴおよび商品明細のデータ、販促券Ａのデータ、販促券Ｂのデータ、割引券Ａのデータ、割引券Ｂのデータ、割引券Ｃのデータが、記載の順に連ねられたものである。印字データが含む各データは、印字内容の他に、例えばデータの初めの部分などに、印字物の種類（店名ロゴおよび商品明細、販促券、割引券など）ごとに異なる所定桁の種別データを含んでいる。
【００３８】
ステップＳ２において、印字制御部１１４は、まず、印字データの一つ目のデータの初めの所定桁から、一つ目の印字物の種別データを読み取り、読み取った種別データを例えばＲＡＭ１０３などの所定の記憶領域に記憶させておく。次に印字制御部１１４は、印字データの一つ目のデータ（店名ロゴおよび商品明細）にかかる印字を、プリンタ６に行わせる。
【００３９】
印字データに含まれる複数のデータの一つ一つが印字されるごとに、切断制御部１１５としての制御部１１０は、印字データの続きの読み取りを行い、続きがなかった場合には印字データの最後まで印字し終えたと判断して（ステップＳ３のＹｅｓ）、用紙をフルカットして（ステップＳ４）、処理を終了する。
【００４０】
切断制御部１１５は、ステップＳ３における印字データの続きの読み取りに際し、少なくとも、印字物の種別データを含む所定桁分を、読み取る。この読み取りができた場合、切断制御部１１５は、印字データに続きが存在し最後に至っていないと判断して（ステップＳ３のＮｏ）、処理をステップＳ５に進める。
【００４１】
ステップＳ５において切断制御部１１５は、ステップＳ３で読み取った部分から、次の印字物の種別データを確認する。次に切断制御部１１５は、ステップＳ５で確認した次の印字物の種別データと、ステップＳ２で所定の記憶領域に記憶された、前の印字物の種別データとを、比較する（ステップＳ６）。
【００４２】
次の印字物の種別が、前の印字物の種別と異なる場合（ステップＳ６のＹｅｓ）、切断制御部１１５は、用紙をフルカットして（ステップＳ７）、処理をステップＳ２に戻す。また、次の印字物の種別が、前の印字物の種別と同じ場合（ステップＳ６のＮｏ）、切断制御部１１５は、用紙を１点残しでパーシャルカットして（ステップＳ８）、処理をステップＳ２に戻す。
【００４３】
ステップＳ７，Ｓ８から戻ったステップＳ２では、印字制御部１１４は、次の印字物の種別データを、所定の記憶領域に記憶させる。このとき、前の印字物の種別データは次の印字物の種別データで上書きされて構わない。続いて印字制御部１１４は、次の印字物をプリンタ６に印字させる。
【００４４】
図６の例では、印字データの二つ目のデータは販促券Ａで、その前の一つ目のデータは販促券でないので、一つ目のデータの印字後、用紙はフルカット（ステップＳ７）される。また、三つ目のデータは販促券Ｂで、その前の二つ目のデータ（販促券Ａ）と同じ販促券であるので、販促券Ａの印字後、用紙はパーシャルカット（ステップＳ８）される。
【００４５】
同様に、販促券Ｂの印字後で割引券Ａの印字前に用紙はフルカットされ、割引券Ａの印字後で割引券Ｂの印字前に用紙はパーシャルカットされ、割引券Ｂの印字後で割引券Ｃの印字前に用紙はパーシャルカットされる。そして、割引券Ｃの印字後に、用紙はフルカットされる。
【００４６】
このように、本実施形態によれば、販売データ処理装置において、印字物の間を切断する切断処理の種類を、一取引における一連の印字物の発行中に、印字物の種類が変わるごとに、変更することができる。
【００４７】
本実施形態によれば、割引券や販促券をそれぞれ複数枚発行する場合に、割引券同士や販促券同士が部分的につながった状態で発行しながら、買上明細が印字されたレシートとは完全に切り離して発行することができる。
【００４８】
また、買上明細が印字されたレシートの他に何枚もの印字物が発行される場合、仮に従来のように、全印字物間がフルカットで切り離されているのであると、顧客への渡し忘れが発生したり、顧客も受け取りにくさから取り落としたりするおそれがある。これに対して本実施形態は、印字物の種類ごとに部分的につながった状態で発行されるので、全ての印字物の発行が完了したかの判断がしやすくなるため、渡し忘れが発生しにくくでき、顧客にとっても受け取りやすい状態にできる。
【００４９】
なお、上記実施形態のステップＳ８では、１点残しのパーシャルカットを行っているが、実施にあたって、ステップＳ８において複数点残しのパーシャルカットを行ってもよい。
【００５０】
（第２実施形態）
次に、第２実施形態について説明する。本実施形態は、第１実施形態の変形例であるので、第１実施形態と異なる部分について説明し、共通する部分についての説明は省略する。
【００５１】
本実施形態では、一取引における一連の印字物の間を切断する切断処理の種類を、印字物の種類に応じて変更可能としている。本実施形態の切断制御部１１５は、前後する印字内容の種類の組み合わせと切断処理の種類とを予め関連付けた設定に従って、プリンタ６に、第１または第２の切断処理を行わせる。
【００５２】
本実施形態のＰＯＳ端末装置１は、ＨＤＤ１０４に、図７−１〜図７−４に示す各種テーブルを記憶している。図７−１〜図７−４は、印字物の種類と切断処理の種類との関連付けを示す図である。
【００５３】
図７−１は、印字物の種類の名称とＩＤとを関連付けた印字物種別テーブルＴ１である。印字物種別テーブルＴ１は、ＩＤを記憶するカラムｃ１１と、名称を記憶するカラムｃ１２とを有する。ＨＤＤ１０４は、印字物種別テーブルＴ１にて、例えば、ＩＤ「１」は名称「明細」、ＩＤ「２」は名称「販促券」、ＩＤ「３」は名称「割引券」、ＩＤ「４」は名称「保証書」、ＩＤ「５」は名称「領収証」、ＩＤ「９」は名称「ロゴ」、などと記憶している。
【００５４】
図７−２は、切断処理の種類の名称とＩＤとを関連付けたカット区分テーブルＴ２である。カット区分テーブルＴ２は、ＩＤを記憶するカラムｃ２１と、名称を記憶するカラムｃ２２とを有する。ＨＤＤ１０４は、カット区分テーブルＴ２にて、例えば、ＩＤ「１」は名称「フルカット」、ＩＤ「２」は名称「１点残し」、ＩＤ「３」は名称「複数点残し」、ＩＤ「９」は名称「切断なし」、などと記憶している。
【００５５】
図７−３は、現印字物種別ＩＤと次印字物種別ＩＤとの組み合わせにカット区分ＩＤを関連付けたカットパターン設定テーブルＴ３である。カットパターン設定テーブルＴ３は、現印字物種別ＩＤを記憶するカラムｃ３１と、次印字物種別ＩＤを記憶するカラムｃ３２と、カット区分ＩＤを記憶するカラムｃ３３とを有する。現印字物種別ＩＤは、現在の印字処理にかかる印字物の種類のＩＤである。次印字物種別ＩＤは、現在の印字処理の次の印字処理にかかる印字物の種類のＩＤである。カット区分ＩＤは、切断処理の種類のＩＤである。
【００５６】
この図７−３の例では、カットパターン設定テーブルＴ３に、
・買上明細（ＩＤ「１」）と販促券（ＩＤ「２」）との間は複数点残し（ＩＤ「３」）、
・買上明細と割引券、保証書または領収書との間はフルカット、
・販促券同士の間は複数点残し、
・販促券と割引券、保証書または領収書との間はフルカット、
・割引券と販促券、保証書または領収書との間はフルカット、
・割引券同士の間は複数点残し、
・保証書と販促券、割引券または領収書との間はフルカット、
・保証書同士の間は１点残し、
・領収書と販促券、割引券または保証書との間はフルカット、
・領収書同士の間は１点残し、
・店名ロゴと買上明細との間は複数点残し、
と定められている。
【００５７】
図７−４は、印字データＤ１の構造の一例を示し、印字データＤ１が含む複数の印字物のデータの印字順（Ｎｏ．）と種別ＩＤとを示す図である。この例では、プリンタ６は、初めにロゴを印字し、続いて明細を印字し、その後、２枚の販促券（Ｎｏ．３〜４、印字物種別ＩＤ「２」）、２枚の割引券（Ｎｏ．５〜６、印字物種別ＩＤ「３」）、３枚の保証書（Ｎｏ．７〜９、印字物種別ＩＤ「４」）を印字する。このような印字データを次の図８に示す処理で用紙に印字し切断することにより、図９に示すような印字物が得られる。図９は、一取引にかかる一連の印字物を示す図である。
【００５８】
図８は、印字から切断までの制御の流れを示すフローチャートである。ステップＳ１１〜Ｓ１５は、図５におけるステップＳ１〜Ｓ５に相当するので、説明を省略する。
【００５９】
ステップＳ１６において切断制御部１１５は、カットパターン設定テーブルＴ３（図７−３）を参照して、ステップＳ１５で確認した次の印字物の種別データと、ステップＳ２で所定の記憶領域に記憶された前の印字物の種別データとに合致するカット区分を、確認する（ステップＳ１６）。そして切断制御部１１５は、設定に応じて用紙をカットし（ステップＳ１７）、処理をステップＳ１２に戻す。
【００６０】
図７−４に例示する構造の印字データから図９に例示する印字物が得られるが、この例の場合のステップＳ１６〜Ｓ１７における具体的処理について、補足する。
【００６１】
この例では、印字データのＮｏ．１は店名ロゴ（印字物種別ＩＤ「９」）で、Ｎｏ．２は買上明細（印字物種別ＩＤ「１」）であるので、店名ロゴの印字後、切断制御部１１５は、カットパターン設定テーブルＴ３を参照し、現印字物種別ＩＤが「９」で次印字物種別ＩＤが「１」のカット区分ＩＤを確認する。これにより、切断制御部１１５は、カット区分ＩＤ「３」（複数点残し）を得る（ステップＳ１６）。そして、切断制御部１１５は用紙を複数点残しでパーシャルカットし（ステップＳ１７）、印字制御部１１４が買上明細の印字を行う（ステップＳ１２）。
【００６２】
また、印字データＮｏ．４は販促券Ｂ（印字物種別ＩＤ「２」）で、Ｎｏ．５は割引券Ａ（印字物種別ＩＤ「３」）であるので、販促券Ｂの印字後、切断制御部１１５は、カットパターン設定テーブルＴ３を参照し、現印字物種別ＩＤが「２」で次印字物種別ＩＤが「３」のカット区分ＩＤを確認する。これにより、切断制御部１１５は、カット区分ＩＤ「１」（フルカット）を得る。そして、切断制御部１１５は用紙をフルカットし、印字制御部１１４が割引券Ａの印字を行う。
【００６３】
他の切断箇所（各印字物の間）にも、上述のような流れで、設定に従った切断処理が施される。
【００６４】
このように、本実施形態によれば、販売データ処理装置において、印字物の間を切断する切断処理の種類を、一取引における一連の印字物の発行中に、前後する印字物の種類に応じて、変更することができる。
【００６５】
また、本実施形態のように、予め設定することにより、切断処理の種類の選択肢を、フルカットかパーシャルカットかの二択でなく、パーシャルカットを複数種類にして三つ以上にするなどが可能となる。
【００６６】
なお、上記実施形態では、各テーブルＴ１〜Ｔ３をＨＤＤ１０４が記憶するとして説明したが、実施にあたってはこれに限らず、例えば、テーブルＴ１〜Ｔ３を店舗サーバなどが記憶するようにして通信Ｉ／Ｆ１２を介して取得するよう構成してもよい。
【００６７】
また、上記実施形態では、印字物の種類と切断処理の種類との関連付けを、テーブルの形式で行っているが、これは一例であって、実施にあたってテーブルでなくともよい。
【００６８】
（第３実施形態）
次に、第３実施形態について説明する。本実施形態は、第２実施形態の変形例であるので、第２実施形態と異なる部分について説明し、共通する部分についての説明は省略する。本実施形態では、一取引における一連の印字物の間を切断する切断処理の種類を、顧客ごとに変更可能としている。
【００６９】
図１０−１は、第３実施形態における顧客の氏名とＩＤにカットパターン設定の種類を関連付けた顧客テーブルＴ４の図である。顧客テーブルＴ４は、会員データの一例であって、ＩＤを記憶するカラムｃ４１と、氏名を記憶するカラムｃ４２と、カットパターン設定を記憶するカラムｃ４３とを有する。ＨＤＤ１０４は、顧客テーブルＴ４にて、顧客の氏名およびＩＤに対応付けて、カットパターン設定を記憶している。このカットパターン設定は、複数種類（本実施形態では設定Ａ，Ｂ，Ｃの３種類）から、顧客が選択したものである。
【００７０】
図１０−２は、現在の印字物の種別と次の印字物の種別との組み合わせに、複数のカット区分を関連付けたカットパターン設定テーブルＴ５の図である。第２実施形態におけるカットパターン設定テーブルＴ３ではカット区分ＩＤのカラムｃ３３が１列であったのに対し、本実施形態におけるカットパターン設定テーブルＴ５ではカット区分ＩＤのカラムを複数列有している。本実施形態のカット区分ＩＤは、設定Ａ〜Ｃに対応する３種類（カラムｃ５３〜ｃ５５）である。
【００７１】
設定Ａは、第２実施形態におけるカット区分ＩＤと同じである。設定Ｂは、店名ロゴと買上明細との間を切断なしとし、その他の印字物間を全て１点残しでパーシャルカットするよう、定めている。設定Ｃは、全印字物間を複数点残しでパーシャルカットするよう、定めている。
【００７２】
なお、カットパターン設定テーブルＴ５のカラムｃ５１およびｃ５２は、カットパターン設定テーブルＴ３のカラムｃ３１およびｃ３２に対応するので、説明を省略する。
【００７３】
本実施形態は、ＩＤが記録された会員カードなどを所有する顧客が、会計時に、店員に会員カードを提示した場合のサービス、つまり、会員（ＩＤで特定される顧客）向けの、ＩＤを利用したサービスについて説明するものである。
【００７４】
ステップＳ１６におけるカット区分の確認の際、切断制御部１１５はまず、顧客テーブルＴ４で顧客のＩＤに対応付けられているカットパターン設定（カラムｃ４３）を参照する。続いて切断制御部１１５は、カットパターン設定テーブルＴ５を参照してカット区分ＩＤを取得するが、その際、顧客テーブルＴ４から取得したカットパターン設定（カラムｃ４３）に合致するカラムのカット区分ＩＤ（カラムｃ５３〜ｃ５５のいずれか）を、参照する。
【００７５】
このような本実施形態によれば、会員として登録済みの顧客は、好みの設定で発行された印字物を受け取ることが可能となる。
【００７６】
なお、上記実施形態では、カットパターンの設定が３種類であるが、実施にあたってはこれに限らない。
【００７７】
また、上述の第２，第３実施形態におけるカットパターンの各設定は、必要に応じて書き換え可能である。つまり、ＰＯＳ端末装置１や店舗サーバが、カットパターン設定（テーブルＴ３，Ｔ５）を書き換えるためのＵＩ（ユーザインタフェース）を備える。
【００７８】
以上説明したとおり、第１〜第３実施形態によれば、一取引における一連の印字物の発行にあたって、複数種類の切断処理から使い分けて各印字物の間を切断可能な販売データ処理装置とすることができる。
【００７９】
なお、実施形態の販売データ処理装置で実行されるプログラムは、ＲＯＭ等に予め組み込まれて提供される。
【００８０】
実施形態の販売データ処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００８１】
さらに、実施形態の販売データ処理装置で実行されるプログラムを、インターネット等のネットワークに接続されたコンピュータ上に格納し、ネットワーク経由でダウンロードさせることにより提供するように構成しても良い。また、実施形態の販売データ処理装置で実行されるプログラムをインターネット等のネットワーク経由で提供または配布するように構成しても良い。
【００８２】
実施形態の販売データ処理装置で実行されるプログラムは、上述した各部（販売データ登録部１１１、決済処理部１１２、印字データ生成部１１３、印字制御部１１４、切断制御部１１５）を含むモジュール構成となっている。ＣＰＵ（プロセッサ）は、上記記憶媒体からプログラムを読み出して実行することにより、上記各部を主記憶装置上にロードする。これにより、販売データ登録部１１１、決済処理部１１２、印字データ生成部１１３、印字制御部１１４、切断制御部１１５が、主記憶装置上に生成される。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１    …ＰＯＳ端末装置（販売データ処理装置）
２    …ドロワ、３…引出し
４    …キーボード
５    …オペレータ用表示操作部、５ａ…表示デバイス、５ｂ…タッチパネル
６    …プリンタ、６ａ…発行口、６ｂ…ロール紙
７    …客用表示デバイス
８    …カード読取溝
９    …カードリーダ
１０  …バーコードリーダ
１１  …本体
１２  …通信Ｉ／Ｆ
ＢＬ１…バスライン
６０  …カッター、６１…切れ刃、６１１…山、６１２…谷、６１３…凹部、６１４…山
１０１…ＣＰＵ、１０２…ＲＯＭ、１０３…ＲＡＭ、１０４…ＨＤＤ
１１０…制御部
１１１…販売データ登録部、１１２…決済処理部、１１３…印字データ生成部
１１４…印字制御部、１１５…切断制御部
【先行技術文献】
【特許文献】
【００８５】
【特許文献１】特開平１０−２４１０４７号公報
【図１】
2019204454.tif 000003
【図２】
2019204454.tif 000004
【図３】
2019204454.tif 000005
【図４】
2019204454.tif 000006
【図５】
2019204454.tif 000007
【図６】
2019204454.tif 000008
【図７−１】
2019204454.tif 000009
【図７−２】
2019204454.tif 000010
【図７−３】
2019204454.tif 000011
【図７−４】
2019204454.tif 000012
【図８】
2019204454.tif 000013
【図９】
2019204454.tif 000014
【図１０−１】
2019204454.tif 000015
【図１０−２】
2019204454.tif 000016